(57)【要約】【課題】緊急放送を受信した時点での位置情報を含む緊急メールを所定の送信先に自動的に送信することができる携帯端末装置を提供する。【解決手段】放送を受信する放送受信・復調手段２と、電話通信を行う電話送受信・変復調手段５と、自装置の位置情報を取得する位置情報取得手段６と、緊急メールのメッセージ内容及びその送信先アドレスを格納する緊急メール格納メモリ４と、放送受信・復調手段２が緊急放送を受信すると、位置情報取得手段６により取得された位置情報及び緊急メール格納メモリ４の記憶内容に基づいて、位置情報を含む緊急メールを作成し、電話送受信・変復調手段５を制御して送信先に送信する制御手段１とを備える。【選択図】図１
2007189461.tif 000002
【特許請求の範囲】
【請求項１】
放送を受信する放送受信手段と、
外部との通信を行う通信手段と、
自装置の位置情報を取得する位置情報取得手段と、
緊急メール内容及びその送信先を格納する記憶手段と、
前記放送受信手段が緊急放送を受信すると、前記位置情報取得手段により取得された位置情報及び前記記憶手段の記憶内容に基づいて、前記位置情報を含む緊急メールを作成し、前記通信手段を制御して前記送信先に送信する制御手段とを備えた携帯端末装置。
【請求項２】
緊急メール内容及びその送信先を入力する設定入力手段を備え、
制御手段は、前記設定入力手段により入力された緊急メールのメッセージ内容及びその送信先を記憶手段に格納することを特徴とする請求項１記載の携帯端末装置。
【請求項３】
通信手段は、複数の送信先に対して緊急メールを送信するにあたり、無線通信を中継する基地局との間で一度の発呼により複数の送信先に対する緊急メールを一括して送信することを特徴とする請求項１又は請求項２記載の携帯端末装置。
【請求項４】
緊急メール内容及びその送信先を格納する記憶手段を有し、緊急メール送信要求情報を受信すると、前記緊急メール送信要求情報に含まれた位置情報及び前記記憶手段の記憶内容に基づいて前記位置情報を含む緊急メールを作成し、前記送信先に送信するサーバ装置と、
放送を受信する放送受信手段と、外部との通信を行う通信手段と、自装置の位置情報を取得する位置情報取得手段と、前記放送受信手段が緊急放送を受信すると、前記位置情報取得手段により取得された位置情報を含む緊急メール送信要求情報を作成し、前記通信手段を制御して前記サーバ装置に送信する制御手段とを有する携帯端末装置とを備えた移動体通信システム。
【請求項５】
放送を受信する放送受信手段と、外部との通信を行う通信手段と、自装置の位置情報を取得する位置情報取得手段と、緊急メール内容及びその送信先を格納する記憶手段と、制御手段とを備えた携帯端末装置の緊急メール送信方法において、
前記放送受信手段が緊急放送を受信するステップと、
前記位置情報取得手段が自装置の位置情報を取得するステップと、
前記制御手段が、前記記憶手段の記憶内容と前記位置情報取得手段により取得された位置情報とに基づいて前記位置情報を含む緊急メールを作成するステップと、
前記通信手段が、前記緊急メールを前記送信先に送信するステップとを備えたことを特徴とする緊急メール送信方法。
【請求項６】
通信手段が、複数の送信先に対して緊急メールを送信するにあたり、無線通信を中継する基地局との間で一度の発呼により複数の送信先に対する緊急メールを一括して送信することを特徴とする請求項５記載の緊急メール送信方法。
【発明の詳細な説明】
【技術分野】
【０００１】
この発明は、テレビやラジオ等の放送受信機能と電子メール送信機能を有する携帯端末装置、移動体通信システム及び緊急メール送信方法に関するものである。
【背景技術】
【０００２】
従来、テレビやラジオ等の放送を受信する機能と電子メールを送信する機能とを有した携帯端末装置（例えば、携帯電話機等）では、放送局から緊急放送を受信した場合、携帯端末装置のユーザが、緊急放送の内容に応じて家族等を連絡先とする緊急用の電子メールを手動で作成して送信していた。
【０００３】
また、特許文献１に開示される携帯型の受信装置は、テレビやラジオ等の放送の受信機能及び電子メール送信機能に加え、ＧＰＳ（Global Positioning System）等の位置情報取得手段を備えており、ＧＰＳ等の位置情報取得手段によって当該受信装置が所在する位置が計測されてその経度Ｘ、緯度Ｙ、高度Ｚ等の位置情報が取得される。特許文献１の携帯型受信装置では、位置情報取得手段により取得された位置情報が、放送機能における受信可能なチャネルにおける自動的な情報取得の周期決定に使用される。このため、特許文献１においても、ＧＰＳ等の位置情報取得手段で取得した位置情報に基づいて、当該受信装置のユーザが、自らの所在を連絡するために音声による通話を行うか若しくは電子メールを作成して送信することができる。
【０００４】
【特許文献１】特開２００４−２２８７２４号公報
【発明の開示】
【発明が解決しようとする課題】
【０００５】
上述した従来の携帯端末装置において、放送局から緊急放送を受信した際、家族等を連絡先とするような緊急の電子メールを送信するには、その都度ユーザが手動でメールを作成して送信する必要がある。このような場合、火急な事態であるため、ユーザの心理的動揺等により連絡漏れが発生する可能性がある。また、緊急放送があったことにより短時間に複数のユーザが各々様々なフォーマットで緊急用のメールを作成して送信することが考えられる。この場合、無線通信区間におけるトラフィック量が非常に増大する。さらに、緊急時においては各家族の所在地が重要な情報であるにもかかわらず不明になる場合が多く、連絡を受けた家族等も不安が増大するなどの不都合が発生する。
【０００６】
この発明は、上記のような課題を解決するためになされたもので、緊急放送を受信した時点での位置情報を含む緊急メールを所定の送信先に自動的に送信することができる携帯端末装置、移動体通信システム及び緊急メール送信方法を得ることを目的とする。また、この発明は、緊急放送が送信された際においても無線通信区間のトラフィックを過剰に増大させることなく、緊急メールを自動的に送信できる携帯端末装置及び緊急メール送信方法を得ることを目的とする。
【課題を解決するための手段】
【０００７】
この発明に係る携帯端末装置は、放送を受信する放送受信手段と、外部との通信を行う通信手段と、自装置の位置情報を取得する位置情報取得手段と、緊急メール内容及びその送信先を格納する記憶手段と、放送受信手段が緊急放送を受信すると、位置情報取得手段により取得された位置情報及び記憶手段の記憶内容に基づいて、位置情報を含む緊急メールを作成し、通信手段を制御して送信先に送信する制御手段とを備えるものである。
【発明の効果】
【０００８】
この発明によれば、放送を受信する放送受信手段と、外部との通信を行う通信手段と、自装置の位置情報を取得する位置情報取得手段と、緊急メール内容及びその送信先を格納する記憶手段と、放送受信手段が緊急放送を受信すると、位置情報取得手段により取得された位置情報及び記憶手段の記憶内容に基づいて、位置情報を含む緊急メールを作成し、通信手段を制御して送信先に送信する制御手段とを備えるので、放送局より緊急放送が放送され、本発明による携帯端末装置のユーザ本人若しくは家族等が火急の事態に晒されるような状況においても、緊急放送が放送された時点における、ユーザが所持する携帯端末装置の位置情報を自動的に所定の送信先に連絡することができるという効果がある。
【発明を実施するための最良の形態】
【０００９】
実施の形態１．
図１は、この発明の実施の形態１による携帯電話機の主な構成を示すブロック図であり、本発明による携帯端末装置を携帯電話機に適用した場合を示している。図１において、実施の形態１による携帯電話機は、制御手段１、放送受信・復調手段（放送受信手段）２、メール格納メモリ３、緊急メール格納メモリ（記憶手段）４、電話送受信・変復調手段（通信手段）５、位置情報取得手段６、操作手段（設定入力手段）７、発音手段８、画面表示手段９及びマイク１０を含んで構成される。
【００１０】
制御手段１は、実施の形態１による携帯電話機の呼の確立制御や信号処理を行なう手段であり、例えば上記制御等に関する演算処理を実行するＣＰＵ（Central Processing Unit）又はＤＳＰ（Digital Signal Processor）を備えて構成される。放送受信・復調手段２は、放送局から送信される放送信号を受信して復調する手段であり、放送信号からユーザが視聴するための情報を生成する。この放送受信・復調手段２が、地震の警戒宣言等の緊急時に放送局から放送される緊急放送を受信する。
【００１１】
メール格納メモリ３は、本実施の形態１による携帯電話機でやり取りされた電子メールを格納するメモリであって、ユーザが作成して送信した電子メールを保存したり若しくは受信した電子メールを保存する。緊急メール格納メモリ４は、緊急放送を受信した際に送信する緊急メールのメッセージ及び送信先アドレスを保存する。電話送受信・変復調手段５は、電話機能に係る無線通信を実行する手段であり、通話相手の電話機に送信する信号の変調や受信した信号の復調を実行する。
【００１２】
位置情報取得手段６は、ＧＰＳ（Global Positioning System）用衛星からの電波を受信して本実施の形態１による携帯電話機が所在する位置についての経度Ｘ、緯度Ｙ、高度Ｚ等の位置情報を取得する。操作手段７は、電話番号やメールの入力、発着信操作、通話と放送視聴の切替等を行うための手段であり、キーボード等の設定入力部を含んで構成される。発音手段８は、制御手段１を介して入力した電気信号（通話相手等からの音声に関する電気信号）を音声に変換して出力する手段であり、スピーカ等から構成される。
【００１３】
画面表示手段９は、放送受信・復調手段２が受信した放送における画像信号や電話送受信・変復調手段５が電話により受信した画像信号を表示する手段であって、液晶モニタ等により具現化される。マイク１０は、ユーザ等が入力した音声を電気信号に変換して制御手段１に出力する。
【００１４】
次に動作について説明する。
先ず、緊急放送が放送されていない場合における通話動作を説明する。
実施の形態１による携帯電話機により音声通話を行う場合、ユーザが、操作手段７を介して音声通話モードを選択すると、音声通話モードが制御手段１に設定される。音声通話モードの選択後、ユーザが、操作手段７を介して通話する相手の電話番号を入力又は選択し、操作手段７における通話ボタンを押下する等により音声通話動作が開始される。具体的には、通話ボタンを押下する等により、制御手段１が、電話送受信・変復調手段５を用いて呼の確立制御を行い、不図示の携帯電話基地局との間で呼が確立した後、通話が開始される。
【００１５】
通話開始後、ユーザの音声は、マイク１０により電気信号に変換されて制御手段１に入力され、制御手段１による制御の下、電話送受信・変復調手段５によって当該電気信号が通話相手の電話機に送信する信号（変調信号）に変換される。変換後の信号は、電話送受信・変復調手段５から携帯電話基地局に送信される。
【００１６】
また、携帯電話基地局から実施の形態１による携帯電話機に送信された通話している相手先からの音声に関する無線信号は、電話送受信・変復調手段５にて受信され、復調された後に制御手段１に出力される。制御手段１では、復調された通話相手からの音声に関する電気信号を発音手段８に出力する。発音手段８は、入力した電気信号（通話相手からの音声に関する電気信号）を音声に変換して出力する。これにより、通話している相手先からの音声がユーザの耳に届く。
【００１７】
次に、電子メール送受信動作について説明する。
電子メールの送信を行う場合、ユーザが、操作手段７を介してメール作成モードを選択すると、メール作成モードが制御手段１に設定される。メール作成モードの選択後、ユーザが、操作手段７を介してメールに記述する文字の入力と送信先アドレスを設定する。制御手段１は、操作手段７により入力された文字列と送信先アドレスと組み合わせて所定のフォーマット（インターネットメールのフォーマット等）に従いメールを作成する。
【００１８】
続いて、ユーザが操作手段７を介して制御手段１にメール送信を指示すると、制御手段１は、作成されたメールをパケットデータに変換すると共に、電話送受信・変復調手段５を用いて呼の確立制御を行う。このようにして携帯電話基地局との間で呼が確立すると、電話送受信・変復調手段５が、当該パケットデータを携帯電話基地局に送信する。このとき、送信した電子メールは、控えとしてメール格納メモリ３に保存される。
【００１９】
一方、電子メールの受信を行う場合、実施の形態１による携帯電話機に対してメールの受信を行う旨を伝える命令信号が携帯電話基地局に送信される。この命令信号を受けた携帯電話基地局は、パケット通信の呼を確立した後、実施の形態１による携帯電話へパケットデータを送信する。これにより、電話送受信・変復調手段５が、パケットデータに変換されたメールを受信する。電話送受信・変復調手段５により受信されたパケットデータは、制御手段１により通常の携帯電話用のメールフォーマットに整形され、メール格納メモリ３に保存される。
【００２０】
ユーザがメールを読む場合、操作手段７によりメール格納メモリ３に記憶されたメールの一覧等を画面表示手段９に表示させる。この一覧から操作手段７を介して読むメールを選択すると、制御手段１が、選択されたメールをメール格納メモリ３から読出し、その内容の文面を画面表示手段９に表示する。
【００２１】
また、実施の形態１による携帯電話機において放送の受信を行う場合、放送受信・復調手段２が、放送局や相当する中継局（図示せず）から送信されている放送信号を受信し復調する。復調された放送信号は、放送受信・復調手段２から制御手段１に入力される。制御手段１では、復調された放送信号を画像及び音声の電気信号に変換して、発音手段８及び画像表示手段９に出力し音の再生や画像の再生が行なわれる。
【００２２】
次に、緊急放送を受信した際の緊急メール作成及び送信動作について説明する。
図２は、実施の形態１の携帯電話機による緊急メール作成からその自動送信に至るまでの動作を示すフローチャートであり、この図に沿って説明する。
先ず、ユーザが、緊急放送が放送されていない平常時に、操作手段７により緊急メール入力モードを選択し、操作手段７により緊急メールのメッセージ内容を入力する。例えば、操作手段７を介して画面表示手段９に動作モードの選択画面を表示させ、その選択画面の表示内容に応じて操作手段７を用いて緊急メール入力モードを選択する。緊急メール入力モードが選択された旨の信号は、操作手段７から制御手段１に出力される。これにより、制御手段１は、画面表示手段９を制御してメッセージ内容の入力画面を表示させる。ユーザは、メッセージ内容の入力画面で操作手段７を用いて緊急メールのメッセージ内容を入力する。
【００２３】
緊急メールのメッセージは、例えば数１０文字程度の簡易的なテキストメッセージとする。また、メッセージ内容入力と併せ、操作手段７を用いて緊急メールの送信先アドレスも入力する（ステップＳＴ１）。操作手段７を介して制御手段１に入力された緊急メールのメッセージ内容及び送信先アドレスは、制御手段１により緊急メール格納メモリ４に登録、保存される（ステップＳＴ２）。例えば、緊急メール格納メモリ４において、送信先アドレスに関連付けて緊急メールのメッセージ内容が登録され、保存される。
【００２４】
放送受信・復調手段２は、緊急放送の有無をモニタしている。緊急放送がなされるサービスとして、Ｓバンド衛星デジタル音声放送の例を挙げると、この緊急放送サービスでは、放送波中に緊急放送の有無を示す制御情報が含まれている。この場合、放送受信・復調手段２は、上記制御情報を受信することで緊急放送の有無を検知することができる。ここでは、上記ステップＳＴ１からステップＳＴ２までの処理が完了した後、放送受信・復調手段２が、上述のようにして緊急放送を受信したものとする（ステップＳＴ３）。
【００２５】
放送受信・復調手段２が緊急放送開始を検知すると、直ちにその旨が制御手段１に出力される。制御手段１は、例えば緊急メール格納メモリ４に予め記憶されている緊急メールのメッセージと、位置情報取得手段６により得られる、本実施の形態１による携帯電話機の位置情報（経度Ｘ、緯度Ｙ、高度Ｚ等による位置情報）とを組み合わせた緊急メールの全文を作成する（ステップＳＴ４）。この緊急メールの作成は、緊急メールのテキストメッセージと、位置情報の各数値データとを組み合わせることにより、ユーザによる操作を介さず、制御手段１により自動的に実行される。
【００２６】
続いて、制御手段１は、実施の形態１による携帯電話機と携帯電話基地局の間で、パケット通信の呼を電話送受信・変復調手段５を用いて確立する。この後、制御手段１は、ステップＳＴ４で作成した緊急メールを、電話送受信・変復調手段５を用いてパケットデータとして携帯電話基地局に自動的に送信する（ステップＳＴ５）。このとき、緊急メールの送信先は、緊急メール格納メモリ４に登録されている緊急メールの送信先アドレスを用いる。
【００２７】
例えば、制御手段１が、緊急メールを作成するにあたり、その緊急メールのメッセージの内容に関連付けて緊急メール格納メモリ４に登録されている送信先アドレスを読み出し、緊急メールの送信先に設定する。これにより、電話送受信・変復調手段５が、当該送信先アドレスの緊急メールをパケットデータとして携帯電話基地局に送信し、携帯電話基地局を介して当該パケットデータが前記送信先アドレスの電話機やパーソナルコンピュータ等に送信される。なお、緊急メールの送信先アドレスが複数登録されている場合には、単一の呼で複数の緊急メール送信先アドレスに対して、同一文面の緊急メールを送信する。
【００２８】
この実施の形態１によれば、放送を受信する放送受信・復調手段２と、外部との電話通信を行う電話送受信・変復調手段５と、自装置の位置情報を取得する位置情報取得手段６と、緊急メールのメッセージ内容及びその送信先アドレスを格納する緊急メール格納メモリ４と、放送受信・復調手段２が緊急放送を受信すると、位置情報取得手段６により取得された位置情報及び緊急メール格納メモリ４の記憶内容に基づいて、位置情報を含む緊急メールを作成し、電話送受信・変復調手段５を制御して送信先に送信する制御手段１とを備えるので、緊急放送が放送されると自動的に予め登録しておいた送信先アドレスにユーザが所持する携帯電話機の位置やメッセージを緊急メールとして送信できる。なお、この緊急メールは、ユーザの操作を介さずに自動的に作成し送信されるので、緊急事態発生時に手動で緊急メールを作成したり、これを送信する労力を払わずに済み、緊急事態発生から緊急メール送信完了までの時間の短縮を期待できる。
【００２９】
また、上記実施の形態１では、緊急メールの送信先アドレスを必要な分だけ予め登録しておくことにより、緊急事態の発生時における緊急メールの送信漏れを防止することができる。さらに、複数の送信先アドレスに対して緊急メールを単一の呼で一括して送信することにより、本実施の形態１による携帯電話機から携帯電話基地局までの無線通信区間におけるトラフィック量の無用な増化を妨げることができる。
【００３０】
さらに、通信キャリア若しくは携帯電話メーカが緊急メールのメッセージの容量に制限を加えることで、過剰なメールトラフィックの増加をシステマチックに防ぐことも可能である。なお、上記実施の形態１による携帯電話機では、携帯電話基地局側における対応は特に必要としない。
【００３１】
なお、上記実施の形態１では、操作手段７により緊急メールのメッセージ内容及びその送信先アドレスを入力する例を示したが、本発明において、緊急メールのメッセージ内容及びその送信先アドレスを入力する手段として操作手段７が必須である訳ではない。緊急メールのメッセージ内容及びその送信先アドレスを入力するための操作手段７を備えておらずとも、例えば電話送受信・変復調手段５を介して外部から緊急メールのメッセージ内容及びその送信先アドレスをダウンロードして緊急メール格納メモリ４に保存する構成であってもよい。
【００３２】
実施の形態２．
図３は、この発明の実施の形態２による通信システムの構成を示すブロック図であり、携帯電話基地局を介して実施の形態２による携帯電話機と通信が可能なサーバ装置を備える。図３において、携帯電話基地局１１は、上記実施の形態１による携帯電話機の無線通信を中継する無線通信基地局である。実施の形態２による携帯電話機は、上記実施の形態１によるものと異なり、緊急メール格納メモリ４を有さない。サーバ装置１２は、携帯電話基地局１１と通信ネットワークを介して接続されており、上記実施の形態１と同様に機能する緊急メール格納メモリ４を備えている。その他の構成要素については、上記実施の形態１と同様であるため、同一の符号を付してその説明を省略する。
【００３３】
次に動作について説明する。
図４は、実施の形態２の携帯電話機による緊急メール作成からその自動送信に至るまでの動作を示すフローチャートであり、この図に沿って説明する。
先ず、ユーザが、緊急放送が放送されていない平常時に、操作手段７により緊急メール入力モードを選択し、操作手段７により緊急メールのメッセージ内容を入力する。例えば、操作手段７を介して画面表示手段９に動作モードの選択画面を表示させ、その選択画面の表示内容に応じて操作手段７を用いて緊急メール入力モードを選択する。緊急メール入力モードが選択された旨の信号は、操作手段７から制御手段１に出力される。これにより、制御手段１は、画面表示手段９を制御してメッセージ内容の入力画面を表示させる。ユーザは、メッセージ内容の入力画面で操作手段７を用いて緊急メールのメッセージ内容を入力する。緊急メールのメッセージは、例えば数１０文字程度の簡易的なテキストメッセージとする。また、メッセージ内容の入力と併せ、操作手段７を用いて緊急メールの送信先アドレスも入力する（ステップＳＴ１）。
【００３４】
操作手段７を介して緊急メールのメッセージ及び送信先アドレスが制御手段１に入力されると、制御手段１は、電話送受信・変復調手段５を用いて最寄りの携帯電話基地局１１との呼を確立し、サーバ装置１２を送信先として緊急メールのメッセージ及び送信先アドレスに関する情報を携帯電話基地局１１に送信する（ステップＳＴ２ａ）。なお、緊急メールのメッセージ及び送信先アドレスに関する情報には、緊急メールのメッセージ内容及び送信先アドレスの他、送信元となる自電話機の電話番号や電子メールアドレス等のユーザ判別用の情報をも含むものとする。
【００３５】
携帯電話基地局１１では、緊急メールのメッセージ及び送信先アドレスに関する情報を受信すると、ネットワークを介して送信先のサーバ装置１２に対して緊急メールのメッセージ及び送信先アドレスに関する情報を転送する。サーバ装置１２では、転送されてきた緊急メールのメッセージ及び送信先アドレスに関する情報を緊急メール格納メモリ４に登録し保存する（ステップＳＴ２ｂ）。なお、本実施の形態２では、緊急メール格納メモリ４において、送信元の携帯電話機の電話番号や電子メールアドレス等のユーザ判別用の情報に関連付けて緊急メールのメッセージ内容及びその送信先アドレスが登録され、保存される。
【００３６】
放送受信・復調手段２は、緊急放送の有無をモニタしている。緊急放送がなされるサービスとして、Ｓバンド衛星デジタル音声放送の例を挙げると、この緊急放送サービスでは、放送波中に緊急放送の有無を示す制御情報が含まれている。この場合、放送受信・復調手段２は、上記制御情報を受信することで緊急放送の有無を検知することができる。ここでは、上記ステップＳＴ１からステップＳＴ２ｂまでの処理が完了した後、放送受信・復調手段２が、上述のようにして緊急放送を受信したものとする（ステップＳＴ３）。
【００３７】
放送受信・復調手段２が緊急放送開始を検知すると、直ちにその旨が制御手段１に出力される。制御手段１は、位置情報取得手段６により得られる、本実施の形態２による携帯電話機の位置情報（経度Ｘ、緯度Ｙ、高度Ｚ等による位置情報）を含む緊急メールの送信要求情報を生成する。そして、制御手段１は、電話送受信・変復調手段５を用いて最寄りの携帯電話基地局１１との呼を確立し、サーバ装置１２を送信先として緊急メールの送信要求情報を送信する（ステップＳＴ４ａ）。携帯電話基地局１１では、緊急メールの送信要求情報を受けると、ネットワークを介して送信先のサーバ装置１２に対して、緊急メールの送信要求情報を転送する（ステップＳＴ４ｂ）。
【００３８】
サーバ装置１２では、緊急メールの送信要求情報を受信すると、その要求元の携帯電話機の電話番号等を用いて、当該携帯電話機に対応する緊急メールのメッセージ及び送信先アドレス情報が緊急メール格納メモリ４に登録されているか否かを検索する。緊急メール格納メモリ４に予め登録されていた場合、サーバ装置１２は、検索結果の緊急メールのメッセージ及び送信先アドレス情報を緊急メール格納メモリ４から読み出し、緊急メールの送信要求情報から位置情報を抽出する。この後、サーバ装置１２は、緊急メールのメッセージと携帯電話機の位置情報とを組み合わせた緊急メールの全文を作成する（ステップＳＴ４ｃ）。この緊急メールの作成は、緊急メールのテキストメッセージと、位置情報の各数値データとを組み合わせることにより、ユーザによる操作を介さず、サーバ装置１２により自動的に実行される。
【００３９】
続いて、サーバ装置１２は、ステップＳＴ４ｃで作成した緊急メールに対応する送信先アドレスを設定し、ネットワークを介して若しくはネットワーク及び携帯電話基地局１１を介して緊急メールを上記送信先アドレスの端末装置に送信する（ステップＳＴ５ａ）。なお、緊急メールの送信先アドレスが複数登録されている場合には、単一の呼で複数の緊急メール送信先アドレスに対して、同一文面の緊急メールを送信する。
【００４０】
以上のように、この実施の形態２によれば、緊急メール内容及びその送信先を格納する緊急メール格納メモリ４を有し、受信した緊急メール送信要求情報に含まれる位置情報及び緊急メール格納メモリ４の記憶内容に基づいて位置情報を含む緊急メールを作成し送信先に送信するサーバ装置１２と、放送受信・復調手段２が緊急放送を受信すると、位置情報取得手段６により取得された位置情報を含む緊急メール送信要求情報を作成し、電話送受信・変復調手段５を制御してサーバ装置１２に送信する制御手段１とを有する携帯電話機とを備えるので、上記実施の形態１と同様に、緊急放送の受信に伴い、自動的に予め登録しておいた送信先アドレスの装置に対して、本実施の形態２による携帯電話機の位置やメッセージをメールとして送信することができる。
【００４１】
また、この緊急メールは、サーバ装置１２によって自動的に作成されて予め登録しておいた送信先アドレスに送信されるので、緊急事態発生時に手動で緊急メールを作成することがなく、作成された緊急メールを送信する労力を払わずに済み、緊急事態発生から緊急メール送信完了までの時間の短縮を期待できる。さらに、上記実施の形態１では、緊急メールの送信先アドレスを必要な分だけ、サーバ装置１２の緊急メール格納メモリ４に予め登録しておくことにより、緊急事態の発生時における緊急メールの送信漏れを防止することができる。
【００４２】
さらに、上記実施の形態１と異なる効果として、上記実施の形態２では、緊急メールのメッセージ及び送信先アドレス情報を個々の携帯電話端末内に保持しないために、個々の携帯電話端末のメモリ容量を節約することができる。加えて、上記実施の形態２では、緊急メールの送信要求時において、携帯電話基地局１１に対して位置情報を含む送信要求情報を一度だけ送信すれば、サーバ装置１２に予め登録しておいた緊急メールの全ての送信先アドレスに緊急メールが送信される。このため、上記実施の形態２による携帯電話機と携帯電話基地局１１と間における無線通信区間のトラフィック量の無用な増加を防ぐことができる。
【００４３】
なお、上記実施の形態１及び上記実施の形態２では、本発明を携帯電話機に適用した例を示したが、緊急放送を受信できる機能を有した携帯端末装置であればよく、例えばＰＤＡ（Personal Digital Assistants）や携帯可能なパーソナルコンピュータであってもよい。
【図面の簡単な説明】
【００４４】
【図１】この発明の実施の形態１による携帯電話機の主な構成を示すブロック図である。
【図２】実施の形態１の携帯電話機による緊急メール作成からその自動送信に至るまでの動作を示すフローチャートである。
【図３】この発明の実施の形態２による通信システムの構成を示すブロック図である。
【図４】実施の形態２の携帯電話機による緊急メール作成からその自動送信に至るまでの動作を示すフローチャートである。
【符号の説明】
【００４５】
１  制御手段、２  放送受信・復調手段（放送受信手段）、３  メール格納メモリ、４  緊急メール格納メモリ（記憶手段）、５  電話送受信・変復調手段（通信手段）、６  位置情報取得手段、７  操作手段（設定入力手段）、８  発音手段、９  画面表示手段、１０  マイク、１１  携帯電話基地局、１２  サーバ装置。
【図１】
2007189461.tif 000003
【図２】
2007189461.tif 000004
【図３】
2007189461.tif 000005
【図４】
2007189461.tif 000006